(57)【要約】【課題】開封後において易開封性包装袋からの内容物の注出がより容易な構造の易開封性包装袋を提供する。【解決手段】易開封性包装袋１００は、シート材２０を折り返すことにより形成された表側シート部３０および裏側シート部４０を含む袋体１０を備えている。袋体１０は、表側シート部３０と裏側シート部４０との間に位置する折り返し部５０を含む第１縁辺部１１と、第２縁辺部１２を有する。袋体１０には、第２縁辺部１２から折り返し部５０に亘って開封案内線６０が形成されている。折り返し部５０において開封案内線６０を基準として開封タブ７０側とは反対側の部位には、折り込み部８０が形成されている。開封案内線６０に沿って袋体１０を破断して注出口を形成すると、折り込み部８０により付勢されて注出流路９５が拡開する。【選択図】図１
2015117063.tif 000002
【特許請求の範囲】
【請求項１】
可撓性のシート材を折り返すことにより形成された表側シート部および裏側シート部を含む袋体を備え、
前記袋体は、前記表側シート部と前記裏側シート部との間に位置する折り返し部を含む第１縁辺部と、前記第１縁辺部とは異なる第２縁辺部と、を有し、
前記袋体の一隅部には、前記第２縁辺部における一部分から、前記折り返し部における一部分に亘って、開封案内線が形成され、
前記袋体の前記一隅部において、前記開封案内線を境界として前記袋体の外方側の部分は、開封タブを構成し、
前記折り返し部において、前記開封案内線を基準として前記開封タブ側とは反対側の部位には、前記シート材の一部分を前記袋体の内側に折り込んでなる折り込み部が形成され、
前記開封案内線に沿って前記袋体を破断することにより前記袋体に注出口を形成すると、前記折り込み部により付勢されて前記表側シート部と前記裏側シート部とが離間し注出流路が拡開する易開封性包装袋。
【請求項２】
前記折り込み部における前記開封タブ側とは反対側の端部では、前記シート材において互いに折り重ねられた部分どうしが、前記袋体の厚み方向にシールされ、
前記袋体において、前記折り込み部における前記端部の周囲に隣接する部分では、前記表側シート部と前記裏側シート部とが相互にシールされている請求項１に記載の易開封性包装袋。
【請求項３】
前記袋体における前記折り込み部の形成箇所では、前記第１縁辺部と直交する断面において、前記シート材がＭ字断面の部分を含んでいる請求項１又は２に記載の易開封性包装袋。
【請求項４】
前記折り込み部における前記袋体の内方側の端辺は、前記開封案内線から遠ざかるにつれて前記袋体の内方側に向かうように傾斜している請求項１乃至３の何れか一項に記載の易開封性包装袋。
【請求項５】
前記第１縁辺部と前記第２縁辺部とは互いに交差して配置されている請求項１乃至４の何れか一項に記載の易開封性包装袋。
【請求項６】
請求項１乃至５の何れか一項に記載の易開封性包装袋と、
前記易開封性包装袋に封入された内容物と、
を備える包装商品。
【発明の詳細な説明】
【技術分野】
【０００１】
本発明は、易開封性包装袋および包装商品に関する。
【背景技術】
【０００２】
洗剤、シャンプー、食品等の各種の内容物を収容する包装袋として、可撓性のシート材により構成されたものがある。このような包装袋として、手指で容易に開封して内容物を注出することができるようにした易開封性のもの（以下、易開封性包装袋と称する）がある。
【０００３】
易開封性包装袋には、当該易開封性包装袋の所定箇所を手指で容易に破断して開封できるように、所定の経路に沿って開封案内線が形成されたタイプのものがある。このタイプの易開封性包装袋は、開封案内線を境界とする一方の部分（以下、開封タブと称する）を片側の手指で摘み、他方の部分（以下、本体と称する）を反対側の手で支えた状態で開封案内線を破断することによって、容易に開封することができる。開封により、易開封性包装袋には、内容物を外部に注出するための注出口が形成される。
【０００４】
このような易開封性包装袋においては、注出口が十分に拡がらなかったり、注出の際に内容物の減少に伴い注出口が次第に狭まったりして、内容物の注出がしづらくなる場合がある。このような課題に鑑み、特許文献１には、シート材を二つ折りして易開封性包装袋の上辺を形成し、その二つ折りした上辺と一方の側辺との隅部に、破断して注出口を形成するための斜めの開封案内線（同文献の切れ目線）を設けることが記載されている。
【先行技術文献】
【特許文献】
【０００５】
【特許文献１】特開２００８−１８９９１号公報
【発明の概要】
【発明が解決しようとする課題】
【０００６】
しかしながら、上記のように易開封性包装袋の上辺を二つ折りしただけでは注出口の拡がり具合を十分に確保できずに依然として内容物の注出がしづらい場合がある。
【０００７】
本発明は、上記の課題に鑑みなされたものであり、内容物の注出がより容易な構造の易開封性包装袋および包装商品に関する。
【課題を解決するための手段】
【０００８】
本発明は、
可撓性のシート材を折り返すことにより形成された表側シート部および裏側シート部を含む袋体を備え、
前記袋体は、前記表側シート部と前記裏側シート部との間に位置する折り返し部を含む第１縁辺部と、前記第１縁辺部とは異なる第２縁辺部と、を有し、
前記袋体の一隅部には、前記第２縁辺部における一部分から、前記折り返し部における一部分に亘って、開封案内線が形成され、
前記袋体の前記一隅部において、前記開封案内線を境界として前記袋体の外方側の部分は、開封タブを構成し、
前記折り返し部において、前記開封案内線を基準として前記開封タブ側とは反対側の部位には、前記シート材の一部分を前記袋体の内側に折り込んでなる折り込み部が形成され、
前記開封案内線に沿って前記袋体を破断することにより前記袋体に注出口を形成すると、前記折り込み部により付勢されて前記表側シート部と前記裏側シート部とが離間し注出流路が拡開する易開封性包装袋を提供する。
【０００９】
また、本発明は、
本発明の易開封性包装袋と、
前記易開封性包装袋に封入された内容物と、
を備える包装商品を提供する。
【発明の効果】
【００１０】
本発明によれば、易開封性包装袋の開封後において、易開封性包装袋からの内容物の注出がより容易になる。
【図面の簡単な説明】
【００１１】
【図１】第１の実施形態に係る包装商品を正面側から見た斜視図である。
【図２】第１の実施形態に係る易開封性包装袋を正面側から見た斜視図である。
【図３】図１のＡ−Ａ線に沿った斜視断面図である。
【図４】第１の実施形態に係る易開封性包装袋の一連の製造工程を示す図である。
【図５】開封後における包装商品の斜視断面図である。
【図６】図６（ａ）は包装商品からの内容物の注出動作を示す正面図、図６（ｂ）は注出口が拡開した様子を示す図である。
【図７】図７（ａ）は第２の実施形態に係る包装商品の一部分を示す斜視断面図、図９（ｂ）は第２の実施形態に係る包装商品の一部分を示す正面図である。
【図８】第３の実施形態に係る包装商品を正面側から見た斜視図である。
【図９】第４の実施形態に係る包装商品を正面側から見た斜視図である。
【発明を実施するための形態】
【００１２】
以下、本発明の実施形態について、図面を用いて説明する。なお、すべての図面において、同様の構成要素には同一の符号を付し、適宜に説明を省略する。
【００１３】
〔第１の実施形態〕
図１は第１の実施形態に係る包装商品２００を正面側から見た斜視図、図２は第１の実施形態に係る易開封性包装袋１００を正面側から見た斜視図である。図３は図１のＡ−Ａ線に沿った斜視断面図である。図４は第１の実施形態に係る易開封性包装袋１００の一連の製造工程を示す図である。図５は開封後における包装商品２００の斜視断面図であり、図３と対応する箇所を示している。図６（ａ）は包装商品２００からの内容物１５０の注出動作を示す正面図、図６（ｂ）は注出口９０が拡開した様子を示す図である。なお、図１、図２、図４（ａ）〜（ｃ）、図６（ａ）では、シート材２０をシールした部分（シール部１２０、１３０、１４０、１７０）を分かりやすく示すため、当該部分にハッチングを付している。
【００１４】
本実施形態に係る易開封性包装袋１００は、可撓性のシート材２０を折り返すことにより形成された表側シート部３０および裏側シート部４０を含む袋体１０を備えている。袋体１０は、第１縁辺部１１と、第１縁辺部１１とは異なる第２縁辺部１２と、を有している。第１縁辺部１１は、表側シート部３０と裏側シート部４０との間に位置する折り返し部５０を含んでいる。袋体１０の一隅部には、第２縁辺部１２における一部分から、折り返し部５０における一部分に亘って、開封案内線６０が形成されている。
袋体１０の一隅部において、開封案内線６０を境界として袋体１０の外方側の部分は、開封タブ７０を構成している。なお、ここで言う袋体１０の外方側とは、注出流路９５から注出口９０に向かう方向である。
折り返し部５０において、開封案内線６０を基準として開封タブ７０側とは反対側の部位には、シート材２０の一部分を袋体１０の内側に折り込んでなる折り込み部８０が形成されている。開封案内線６０に沿って袋体１０を破断することにより袋体１０に注出口９０（図６（ａ）、（ｂ））を形成すると、折り込み部８０により付勢されて表側シート部３０と裏側シート部４０とが離間し注出流路９５が拡開する。
ここで、注出流路９５は、易開封性包装袋１００に収容された内容物１５０が注出口９０を介して易開封性包装袋１００の外部に注出される際に、内容物１５０が注出口９０に至るまでの流路である。注出流路９５が拡開することにより、注出口９０に至るまでの内容物１５０の流動性が向上するので、易開封性包装袋１００からの内容物１５０の注出が容易になる。なお、注出流路９５が拡開するのに伴い注出口９０が拡開しても良いし、注出流路９５が拡開する際に注出口９０は必ずしも拡開しなくても良い。注出流路９５が拡開するのに伴い注出口９０が拡開する場合、易開封性包装袋１００からの内容物１５０の注出がより容易になる。
【００１５】
本実施形態に係る包装商品２００は、本実施形態に係る易開封性包装袋１００と、易開封性包装袋１００に封入された内容物１５０と、を備えている。
【００１６】
以下、詳細に説明する。
【００１７】
以下においては、説明を簡単にするため、包装商品２００および易開封性包装袋１００の各構成要素の位置関係（上下関係等）が各図に示す関係であるものとして説明を行う場合がある。ただし、この説明における位置関係は、包装商品２００および易開封性包装袋１００の使用時や製造時の位置関係とは必ずしも対応しない。
【００１８】
易開封性包装袋１００の袋体１０の形状は、特に限定されない。
本実施形態の場合、易開封性包装袋１００の袋体１０は、例えば、正面視矩形状をなしている。
【００１９】
また、易開封性包装袋１００の袋体１０の形態は特に限定されず、自立可能な形態であっても良いし、自立せず寝かせて配置することを想定した形態であっても良い。
【００２０】
図１および図２では、易開封性包装袋１００が自立可能な形態をなしている例を示している。この例では、易開封性包装袋１００を構成する袋体１０は、例えば、袋体１０の表側部分を構成する表側シート部３０と、袋体１０の裏側部分を構成する裏側シート部４０と、袋体１０の底部１１０を構成する底シート部１１１と、を有している。
【００２１】
シート材２０は、合成樹脂等により構成されたフィルムであり、弾性を有する可撓性のものである。一枚のシート材２０を折り返す（折り曲げる）ことによって、表側シート部３０と裏側シート部４０とが形成されている。すなわち、表側シート部３０と裏側シート部４０とは、シート材２０における折り返し部５０を境界として互いに区画された部分であり、且つ、折り返し部５０において相互に繋がっている。すなわち、折り返し部５０は、シート材２０において、表側シート部３０と裏側シート部４０とを相互に接続している部分である。図１及び図２の例では、折り返し部５０は、袋体１０の上側の縁辺部の左端部から中央部に亘って延在している。
【００２２】
表側シート部３０および裏側シート部４０の周縁部における一部分では、表側シート部３０と裏側シート部４０とが相互にシールされている。すなわち、表側シート部３０と裏側シート部４０とを互いに重ね合わせた状態で、表側シート部３０および裏側シート部４０の周縁部における一部分どうしを熱接着（ヒートシール）して貼り合わせることによって、シール部（詳細後述）が形成されている。
【００２３】
また、底シート部１１１は、袋体１０の底部１１０において、袋体１０の内側に（表側シート部３０と裏側シート部４０との間に）折り込まれているとともに、当該底シート部１１１の周縁部が表側シート部３０および裏側シート部４０の周縁部に対して熱接着により貼り合わされている。これにより、底部１１０は、図１及び図２における奥行き方向に拡開でき、袋体１０が容易に自立できるようになっている。
【００２４】
底シート部１１１も、表側シート部３０および裏側シート部４０と同様に、合成樹脂等により構成されたフィルムにより構成されている。底シート部１１１は、シート材２０とは別個のシート材により構成されていても良いし、シート材２０の一部分を折り返すことにより構成されていても良い。
【００２５】
ここで、表側シート部３０と裏側シート部４０とを構成するシート材２０とは別個のシート材（以下、底シート材と称する）によって底シート部１１１が構成されている場合において、シート材２０および底シート材の材料および層構造の例を説明する。
【００２６】
シート材２０は、例えば、ポリエチレンテレフタレート（ＰＥＴ）からなる外層と、ナイロン（Ｎｙ）からなる中間層と、直鎖状低密度ポリエチレン（Ｌ−ＬＤＰＥ）からなる内層と、の３層構造をなしている。
或いは、シート材２０は、二軸延伸ナイロン（ＯＮｙ）からなる外層と、アルミニウムが蒸着されたＰＥＴシートからなる中間層と、直鎖状低密度ポリエチレンからなる内層と、の３層構造をなしていても良い。
これらの例では、外層は易開封性包装袋１００の外表面を構成する層であり、内層は易開封性包装袋１００の内表面を構成する層であり、中間層は外層と内層との間に介在する層である。外層と中間層とは接着剤により相互に貼り合わされている。同様に、中間層と内層とは接着剤により相互に貼り合わされている。
ただし、ここで説明したシート材２０の材料および層構造は、単なる例示であり、シート材２０は、その他の材料により構成されていたり、その他の層構造をなしていたりしても良い。
【００２７】
また、底シート材は、例えば、二軸延伸ナイロンからなる外層と、直鎖状低密度ポリエチレンからなる内層と、の２層構造をなしている。この場合、外層は易開封性包装袋１００の外表面を構成する層であり、内層は易開封性包装袋１００の内表面を構成する層であり、外層と内層とは接着剤により相互に貼り合わされている。
或いは、底シート材は、二軸延伸ナイロンからなる外層と、Ａｌ箔であるか又はアルミニウムが蒸着されたＰＥＴシートである中間層と、直鎖状低密度ポリエチレンからなる内層と、の３層構造をなしていても良い。この場合、外層は易開封性包装袋１００の外表面を構成する層であり、内層は易開封性包装袋１００の内表面を構成する層であり、中間層は外層と内層との間に介在する層である。外層と中間層とは接着剤により相互に貼り合わされている。同様に、中間層と内層とは接着剤により相互に貼り合わされている。
ただし、ここで説明した底シート材の材料および層構造は、単なる例示であり、底シート材は、その他の材料により構成されていたり、その他の層構造をなしていたりしても良い。
【００２８】
本実施形態の場合、第１縁辺部１１は、袋体１０における上側の縁辺部であり、第２縁辺部１２は、袋体１０における一側方（図１及び図２において左側）の縁辺部である。
【００２９】
袋体１０には、例えば、一側方の縁辺部すなわち第２縁辺部１２に沿って上下に延在するシール部１２０が形成され、他側方の縁辺部すなわち図１及び図２において右側の縁辺部に沿って上下に延在するシール部１３０が形成されている。
また、袋体１０の上側の縁辺部すなわち第１縁辺部１１には、シール部１７０および後述するシール部１４０が形成されている。
【００３０】
ただし、内容物１５０の充填前の易開封性包装袋１００の袋体１０には、シール部１７０は形成されておらず、シール部１７０と対応する部分は未シール部１６０となっている（図２）。未シール部１６０における表側シート部３０と裏側シート部４０との間を通して、内容物１５０を易開封性包装袋１００の袋体１０に充填することが可能である。内容物が充填される領域すなわち内容物の収容領域は、例えば、表側シート部３０と裏側シート部４０と底シート部１１１とに囲まれた領域である。
内容物１５０の充填後、図１に示すように表側シート部３０と裏側シート部４０とを未シール部１６０において熱接着して貼り合わせることによって、シール部１３０の上端部とシール部１４０とを繋ぐシール部１７０を形成し、内容物１５０を易開封性包装袋１００の袋体１０内に密閉状態で封入することができる。
【００３１】
上記のように、開封案内線６０は、袋体１０の一隅部において、第２縁辺部１２における一部分から折り返し部５０の一部分に亘って形成されている。より具体的には、開封案内線６０は、シール部１２０の外縁における一部分を始端とし、シール部（シール部１２０、１３０、１４０、１７０）の非形成領域を通って、折り返し部５０における一部分にて終端している。
【００３２】
本実施形態の場合、第２縁辺部１２は一側方の縁辺部であり、第１縁辺部１１は上側の縁辺部であるため、第１縁辺部１１と第２縁辺部１２とは互いに交差して配置されている。そして、開封案内線６０において、少なくともシール部の非形成領域を通る部分６１は、第１縁辺部１１および第２縁辺部１２に対して斜めに延在している。
【００３３】
開封案内線６０は、例えば、シール部（シール部１２０、１３０、１４０、１７０）の非形成領域では表側シート部３０および裏側シート部４０の各々の外面側に形成されたハーフカット溝とすることができ、シール部１２０では、ミシン目又はハーフカット溝などとすることができる。ハーフカット溝とは、表側シート部３０および裏側シート部４０の各々について、表裏を貫通しない深さの溝である。開封案内線６０を形成する手法は特に限定されず、レーザー加工又はトムソン刃加工などを選択することができる。
開封案内線６０においてハーフカット溝からなる部分は、互いに並走する複数列のハーフカット溝により構成しても良い。図１及び図２の例では、開封案内線６０においてシール部の非形成領域を通る部分６１が３列のハーフカット溝により構成されている。
【００３４】
開封案内線６０に沿って袋体１０を破断して開封することにより、袋体１０の一隅部においてシール部の非形成領域が開口し、袋体１０に注出口９０（図６（ａ）、（ｂ））が形成される。
【００３５】
なお、シール部１２０の外縁において、開封案内線６０の始端と対応する部分には、開封の際の破断の起点を容易に形成するための開封用切欠形状部１８０が形成されていることが好ましい。開封用切欠形状部１８０の形状は、Ｖ字形、Ｕ字形などとすることができる。
【００３６】
袋体１０において、開封案内線６０を境界とする一方の部分、すなわち袋体１０における一角部側の部分は開封タブ７０を構成し、袋体１０における残りの部分、すなわち開封案内線６０を境界とする他方の部分は、本体１９０を構成している。
【００３７】
なお、シール部１２０における本体１９０側の部分のうち、開封タブ７０側の端部は、袋体１０の内方側に向けて弧状に張り出した張出部１２５となっている。これにより、本体１９０における開封案内線６０の近傍の部分では、シール部の非形成領域が狭まっており、シール部の非形成領域がノズル形状をなしている。なお、ここで言う袋体１０の内方側とは、袋体１０の縁から遠ざかる方向である。
【００３８】
上記のように、折り返し部５０の一部分には、シート材２０の一部分を袋体１０の内側に折り込むことによって折り込み部８０が形成されている（図４（ｂ）、（ｃ）、図３等を参照）。図１及び図２に示すように、折り込み部８０は、開封案内線６０を基準として開封タブ７０側とは反対側に配置されている。折り込み部８０の正面形状は、例えば、三角形状とすることができる。
【００３９】
本実施形態の場合、例えば、図３に示すように、袋体１０における折り込み部８０の形成箇所では、第１縁辺部１１と直交する断面において、シート材２０がＭ字断面の部分を含んでいる。本実施形態の場合、より具体的には、例えば、袋体１０における折り込み部８０の形成箇所では、シート材２０が断面Ｍ字をなしている。すなわち、シート材２０が断面Ｍ字形に折り込まれることによって、折り込み部８０が形成されている。この場合、折り込み部８０自体は断面Ｖ字をなしている。
なお、ここでいう第１縁辺部１１と直交する断面は、より具体的には、例えば図３に示すように、表側シート部３０および裏側シート部４０の面方向に対して直交する断面であって、且つ、表側シート部３０と折り込み部８０との境界線３１に対して交差し、裏側シート部４０と折り込み部８０との境界線４１に対して交差し、折り込み部８０における袋体１０の内方側の端辺８１に対しても交差する断面である。なお、ここで言う袋体１０の内方側とは、袋体１０の縁から遠ざかる方向である。境界線３１は、表側シート部３０と折り込み部８０との間の折り返しの部分（折り返し線）であり、境界線４１は、裏側シート部４０と折り込み部８０との間の折り返しの部分（折り返し線）であり、端辺８１は、折り込み部８０における折り返しの部分（折り返し線）である。
【００４０】
また、折り込み部８０における袋体１０の内方側の端辺８１は、開封案内線６０から遠ざかるにつれて袋体１０の内方側に向かうように傾斜している。換言すれば、正面視において、端辺８１は、開封案内線６０から遠ざかるにつれて境界線３１、４１から遠ざかるように、境界線３１、４１に対して傾斜している。
【００４１】
また、折り込み部８０における開封タブ７０側とは反対側の端部８２では、シート材２０において互いに折り重ねられた部分どうしが、袋体１０の厚み方向にシールされている。つまり、端部８２では、シート材２０が４枚重ねとなっているが、その４枚重ねされたシート材２０が一括して相互に熱接着されている。
さらに、袋体１０において、折り込み部８０における端部８２の周囲に隣接する部分（以下、隣接部１４）では、表側シート部３０と裏側シート部４０とが相互にシールされている。
すなわち、折り込み部８０の端部８２から隣接部１４に亘ってシール部１４０が連続的に形成されている。これにより、折り込み部８０の端部８２における袋体１０の密閉性が確保されている。
【００４２】
ここで、開封案内線６０を破断する前の状態では、折り込み部８０は、袋体１０の厚み方向において圧縮された状態とされている。その後、開封案内線６０を破断して袋体１０に注出口９０が形成されると、折り込み部８０は、圧縮状態から解放されるとともに袋体１０の厚み方向に伸びて、表側シート部３０と裏側シート部４０とを相互に離間する方向に付勢する（図５参照）。そして、折り込み部８０の形成領域において表側シート部３０と裏側シート部４０とが離間する影響が、注出流路９５にも及ぶ結果、注出流路９５が拡開するようになっている（図５参照）。
このように、折り込み部８０は、開封後において表側シート部３０と裏側シート部４０とを互いに遠ざかる方向に付勢するバネ作用を有する。
なお、このように注出流路９５が拡開する際に、注出口９０が拡開しても良い（図６（ｂ）参照）が、注出流路９５が拡開する際に注出口９０は必ずしも拡開しなくても良い。
【００４３】
なお、境界線３１と境界線４１とは、それらの一端部どうし（開封案内線６０側の端部どうし）では互いに接しているとともに、他端部どうし（開封案内線６０側とは反対側の端部どうし）でも互いに接している。ただし、上記のように折り込み部８０が圧縮状態となっていることから、境界線３１および境界線４１の中間部どうしは、袋体１０に外力が作用していない自然状態において、例えば図３に示すように互いに離間している。
【００４４】
また、折り込み部８０は、当該折り込み部８０を正面視したときに端辺８１に対して交差する交差辺８３を有している。
ここで、端辺８１と交差辺８３との長さの比は、任意とすることができる。ただし、折り込み部８０の加工容易性の観点および注出流路９５をなるべく広く確保する観点から、端辺８１が交差辺８３よりも長いことが好ましい。
なお、端辺８１と交差辺８３との長さの比は、図２に示す距離Ｌ１と距離Ｌ２との比に等しい。
端辺８１と交差辺８３との長さの比は、例えば後述する図４（ｂ）の工程において切断除去する領域の上下幅Ｗと、折り込み部８０の左右幅との比を調節することによって変更することができる。
折り込み部８０の左右幅を一定にする場合、上下幅Ｗを大きくするほど、端辺８１の長さに対する交差辺８３の長さの割合が大きくなる。一方、上下幅Ｗを一定にする場合、折り込み部８０の左右幅を大きくするほど、端辺８１の長さに対する交差辺８３の長さの割合が小さくなる。
【００４５】
ここで、折り込み部８０と開封案内線６０とは互いに接していても良いし、互いに離間していても良い。すなわち、折り込み部８０における開封案内線６０側の端部８４と開封案内線６０とは、互いに接していても良いし、互いに離間していても良いが、折り込み部８０における開封案内線６０側の端部８４と開封案内線６０とは互いに近接している方が好ましい。例えば、折り込み部８０における開封案内線６０側の端部８４と開封案内線６０との距離は、交差辺８３の長さよりも短いことが好ましい。このようにすることにより、注出流路９５における注出口９０の近傍の部分を十分に拡開することができるので、易開封性包装袋１００からの内容物１５０の注出がより容易になる。
【００４６】
次に、図４（ａ）〜（ｃ）を参照して、本実施形態に係る易開封性包装袋１００の製造方法の一例を説明する。
【００４７】
先ず、シート材２０を折り返すことによって形成した表側シート部３０と裏側シート部４０とを互いに重ね合わせ、底シート部１１１を表側シート部３０と裏側シート部４０との間に折り込む。そして、それら表側シート部３０、裏側シート部４０および底シート部１１１の左右の縁辺部を熱接着して貼り合わせる。これにより、袋体１０を形成するとともに、当該袋体１０の周縁部にシール部１２０、１３０を形成する。この段階では、折り返し部５０は、袋体１０の上側の縁辺部の左右両端間に亘って延在している。
さらに、シール部１２０の外縁における一部分に開封用切欠形状部１８０を形成し、袋体１０の一隅部に開封案内線６０を形成する（図４（ａ））。
【００４８】
次に、図４（ｂ）に示すように、袋体１０の上側の縁辺部において、開封案内線６０から離間した部分を切断除去し、袋体１０に開口１５を形成する。例えば、袋体１０の上側の縁辺部の右半部を切断除去する。これにより、開口１５の形成部位では折り返し部５０が消失するので、折り返し部５０が存在する範囲が図４（ａ）の状態よりも縮小される。
【００４９】
次に、折り返し部５０において開封案内線６０を基準として開封タブ７０側とは反対側の部位を袋体１０の内側に折り込む。すなわち、シート材２０の一部分を袋体１０の内側に折り込む。これにより、折り込み部８０を形成する。シート材２０において折り込み部８０となる部分は、開封案内線６０と開口１５との間の部分である。
【００５０】
より具体的には、境界線３１および４１の各々に沿ってシート材２０を山折りする（袋体１０の外方に向けて凸に折り曲げる）とともに、端辺８１に沿ってシート材２０を谷折りする（袋体１０の内方に向けて凸に折り曲げる）ことによって、折り込み部８０を形成する（図４（ｂ）、（ｃ）参照）。なお、ここで言う袋体１０の内方は、袋体１０の縁から遠ざかる方向であり、ここで言う袋体１０の外方とは、ここで言う袋体１０の内方の反対方向である。
さらに、図４（ｃ）に示すように、折り込み部８０の端部８２から隣接部１４に亘って連続的にシール部１４０を形成する。
これにより、本実施形態に係る易開封性包装袋１００が得られる（図２）。
【００５１】
その後、易開封性包装袋１００を用いて包装商品２００を製造するには、以下の工程を行う。
【００５２】
先ず、未シール部１６０における表側シート部３０と裏側シート部４０との間（開口１５）を通して、易開封性包装袋１００の袋体１０内に内容物１５０を充填する。
【００５３】
ここで、内容物１５０の種類は、特に限定されない。例えば、洗剤、シャンプー、リンス、ボディーソープ、食品などが挙げられる。
また、内容物１５０の形態は、液体（ペースト状のものを含む）であっても良いし、固体（例えば、粒状のもの（顆粒状のものを含む）、或いは粉状のものなど）であっても良い。
【００５４】
次に、未シール部１６０において表側シート部３０と裏側シート部４０とを熱接着して貼り合わせることによって、未シール部１６０をシール部１７０とする。シール部１７０は、シール部１３０の上端部からシール部１４０に亘って連続的に形成される。すなわち、シール部１７０は、シール部１３０の上端部およびシール部１４０の各々と繋がった状態に形成される。
【００５５】
これにより、内容物１５０を易開封性包装袋１００の袋体１０内に密封状態で封入することができ、本実施形態に係る包装商品２００が得られる（図１）。
【００５６】
次に、動作の一例を説明する。
【００５７】
包装商品２００の開封は、開封用切欠形状部１８０を起点として開封案内線６０に沿って袋体１０を破断することによって、容易に行うことができる。包装商品２００を開封することにより、袋体１０の一隅部に注出口９０が形成されるので、該注出口９０を通して袋体１０内の内容物１５０を外部に注出できるようになる。
図６（ａ）は、注出口９０を形成するとともに開封タブ７０を本体１９０から切り離し、注出口９０を介して内容物１５０を他の容器３００（例えばボトル容器など）に移し替える様子を示している。
【００５８】
このとき、袋体１０において注出口９０の近傍に形成された折り込み部８０のバネ作用により、折り込み部８０の周辺の表側シート部３０と裏側シート部４０とは、互いに離間する方向に付勢される（図５参照）。その結果、図５に示すように、注出流路９５が袋体１０の厚み方向に拡開するので、内容物１５０の注出をスムーズに行うことができる。
【００５９】
以上のような第１の実施形態によれば、開封案内線６０は、第２縁辺部１２における一部分から折り返し部５０における一部分に亘って形成されている。よって、図６（ｂ）に示すように、注出口９０の一端側（図６（ｂ）において上側）は、折り返し部５０の一部分からなる。よって、注出の際に注出口９０が容易に拡がるようにできるとともに、内容物１５０の減少に伴い注出口９０が次第に狭まってしまうことを抑制できる。
さらに、折り返し部５０において、開封案内線６０を基準として開封タブ７０側とは反対側の部位には、可撓性のシート材２０の一部分を袋体１０の内側に折り込んでなる折り込み部８０が形成されている。そして、袋体１０に注出口９０を形成すると、折り込み部８０のバネ作用（反発作用）により付勢されて表側シート部３０と裏側シート部４０とが離間して注出流路９５が拡開する。或いは、注出流路９５および注出口９０が拡開する。よって、開封後において、易開封性包装袋１００からの内容物１５０の注出がより容易になる。
【００６０】
また、折り込み部８０における開封タブ７０側とは反対側の端部８２では、シート材２０において互いに折り重ねられた部分どうしが、袋体１０の厚み方向にシールされている。また、袋体１０において、折り込み部８０における端部８２の周囲に隣接する隣接部１４では、表側シート部３０と裏側シート部４０とが相互にシールされている。
すなわち上記シール部１４０が形成されている。これにより、折り込み部８０の端部８２における袋体１０の密閉性を確保することができる。
さらに、折り込み部８０がバネ作用によって表側シート部３０と裏側シート部４０とを相互に離間させる際に、シール部１４０は、てこの原理でいうところの支点として機能する。よって、シール部１４０を形成しない場合と比べて、注出流路９５、或いは、注出流路９５および注出口９０を、より大きく拡げることができる。
【００６１】
また、袋体１０における折り込み部８０の形成箇所では、第１縁辺部１１と直交する断面において、シート材２０がＭ字断面の部分を含むように、折り込み部８０が形成されている。よって、折り込み部８０が確実にバネ作用を発揮できる構造を実現することができる。
なお、折り込み部８０の形成箇所でシート材２０が断面Ｍ字をなす場合は、折り込み部８０自体の形状が断面Ｖ字であるため、折り込み部８０自体の形状が断面Ｗ字などの場合と比べて、折り込み部８０の加工容易性並びに折り込み部８０の端部８２における密閉性に優れる。
【００６２】
また、折り込み部８０における袋体１０の内方側の端辺８１は、開封案内線６０から遠ざかるにつれて袋体１０の内方側に向かうように傾斜している。このように端辺８１が傾斜した構造の折り込み部８０は、図４（ｂ）および（ｃ）に示す工程により容易に加工することできるため、加工容易性に優れる。
【００６３】
また、折り返し部５０および折り込み部８０を含む第１縁辺部１１と、第２縁辺部１２とが、互いに交差して配置され、第２縁辺部１２における一部分から折り返し部５０における一部分に亘って開封案内線６０が形成されている。すなわち、開封案内線６０は、第１縁辺部１１および第２縁辺部１２に対して斜めに延在するように形成されている。よって、図１及び図２に示すように、開封案内線６０から袋体１０の内方側に向けて、シール部の非形成領域を次第に拡大する構造を容易に実現することができる。つまり、開封案内線６０から袋体１０の内方側に向けて、注出流路９５を次第に拡大する構造を容易に実現することができる。よって、内容物１５０の注出をスムーズに行うことができる。なお、ここで言う袋体１０の内方側とは、注出流路９５から注出口９０に向かう方向の反対方向である。
【００６４】
〔第２の実施形態〕
図７（ａ）は第２の実施形態に係る包装商品２００の一部分を示す斜視断面図、図７（ｂ）は第２の実施形態に係る包装商品２００の一部分を示す正面図である。なお、図７（ｂ）では、シート材２０をシールした部分（シール部１２０、１３０、１４０、１７０）を分かりやすく示すため、当該部分にハッチングを付している。本実施形態に係る包装商品２００および易開封性包装袋１００は、折り込み部８０の構造が、上記の第１の実施形態に係る包装商品２００および易開封性包装袋１００と相違し、その他の点では、上記の第１の実施形態に係る包装商品２００および易開封性包装袋１００と同様に構成されている。
【００６５】
上記の第１の実施形態では、袋体１０における折り込み部８０の形成箇所では、第１縁辺部１１と直交する断面において、シート材２０が断面Ｍ字をなしている例、すなわち折り込み部８０が断面Ｖ字をなしている例を説明した。
【００６６】
これに対し、本実施形態では、図７（ａ）に示すように、第１縁辺部１１と直交する断面において、折り込み部８０が断面Ｗ字をなしている。すなわち、折り込み部８０において断面Ｖ字の部分を折り込み形状部８５と称することとすると、本実施形態の場合、折り込み部８０は、袋体１０の断面方向すなわち厚み方向において並ぶ２つの折り込み形状部８５を有している。すなわち、本実施形態の場合も、第１の実施形態と同様に、袋体１０における折り込み部８０の形成箇所では、第１縁辺部１１と直交する断面において、シート材２０がＭ字断面の部分を含んでいる。
【００６７】
なお、本実施形態の場合、折り込み部８０の端部８２は、例えば、シート材２０が６枚重ねとなる第１部分８２ａと、シート材２０が４枚重ねとなる第２部分８２ｂと、を含む。
【００６８】
本実施形態によっても、上記の第１の実施形態と同様の効果が得られる。また、折り込み部８０が有する折り込み形状部８５の数が第１の実施形態よりも多いため、折り込み部８０による付勢力が向上し、注出流路９５、或いは、注出流路９５および注出口９０がより大きく拡がることを期待できる。
【００６９】
なお、本実施形態では、折り込み部８０が有する折り込み形状部８５の数が２つである例を示しているが、折り込み部８０は袋体１０の厚み方向において並ぶ３つ以上の折り込み形状部８５を有していても良い。
【００７０】
〔第３の実施形態〕
図８は第３の実施形態に係る包装商品２００を正面側から見た斜視図である。なお、図８では、シート材２０をシールした部分（シール部１２０、１３０、１４０、１７０）を分かりやすく示すため、当該部分にハッチングを付している。本実施形態に係る包装商品２００および易開封性包装袋１００は、以下に説明する点で、上記の第１又は第２の実施形態に係る包装商品２００および易開封性包装袋１００と相違し、その他の点では、上記の第１又は第２の実施形態に係る包装商品２００および易開封性包装袋１００と同様に構成されている。
【００７１】
本実施形態の場合、易開封性包装袋１００の一側方（図８では左側）の縁辺部が第１縁辺部１１であり、易開封性包装袋１００の上側の縁辺部が第２縁辺部１２である。シール部１２０は、易開封性包装袋１００の上側の縁辺部すなわち第２縁辺部１２に沿って左右に延在している。シール部１７０は、易開封性包装袋１００の一側方の縁辺部すなわち第１縁辺部１１に沿って上下に延在している。そして、折り返し部５０、折り込み部８０およびシール部１４０は、易開封性包装袋１００の一側方の縁辺部に配置されている。
【００７２】
このような第３の実施形態によっても、上記の第１又は第２の実施形態と同様の効果が得られる。
【００７３】
〔第４の実施形態〕
図９は第４の実施形態に係る包装商品２００の正面図側から見た斜視図である。なお、図９では、シート材２０をシールした部分（シール部１２０、１３０、１４０、１７０）を分かりやすく示すため、当該部分にハッチングを付している。本実施形態に係る包装商品２００および易開封性包装袋１００は、以下に説明する点で、上記の第１又は第２の実施形態に係る包装商品２００および易開封性包装袋１００と相違し、その他の点では、上記の第１又は第２の実施形態に係る包装商品２００および易開封性包装袋１００と同様に構成されている。
【００７４】
本実施形態の場合、袋体１０の一隅部は、袋体１０の外方側に向けて突出するノズル部２１０となっている。このノズル部２１０は、例えば、矩形状に形成され、当該ノズル部２１０の基端部から先端部までほぼ一定幅に形成されている。なお、ここで言う袋体１０の外方側とは、注出流路９５から注出口９０に向かう方向である。
【００７５】
シール部１２０は、ノズル部２１０の先端部（ノズル部２１０における左側の縁辺部）と、ノズル部２１０における下側の縁辺部と、本体１９０におけるノズル部２１０以外の部分における左側の縁辺部と、に亘って連続的に形成されている。
【００７６】
そして、ノズル部２１０における基端側の部分に、上下に延在する開封案内線６０が形成されている。すなわち、ノズル部２１０における下側の縁辺部から上側の縁辺部に亘って開封案内線６０が形成されている。したがって、本実施形態の場合、ノズル部２１０における下側の縁辺部が第２縁辺部１２である。
【００７７】
本実施形態では、このように、袋体１０の互いに平行な縁辺部間に亘って開封案内線６０が形成されている。また、本実施形態では、第１縁辺部１１と第２縁辺部１２とは互いに隣り合っておらず、それらの間に他の縁辺部（ノズル部２１０における左側の縁辺部）が介在している。
【００７８】
また、折り返し部５０は、ノズル部２１０の上側の縁辺部から、本体１９０におけるノズル部２１０以外の部分における上側の縁辺部に亘って延在している。なお、第２縁辺部１２には、開封用切欠形状部１８０を形成することができる。
【００７９】
このような第４の実施形態によっても、上記の第１又は第２の実施形態と同様の効果が得られる。
【符号の説明】
【００８０】
１０ 袋体
１１ 第１縁辺部
１２ 第２縁辺部
１４ 隣接部
１５ 開口
２０ シート材
３０ 表側シート部
３１ 境界線
４０ 裏側シート部
４１ 境界線
５０ 折り返し部
６０ 開封案内線
６１ 部分
７０ 開封タブ
８０ 折り込み部
８１ 端辺
８２ 端部
８２ａ 第１部分
８２ｂ 第２部分
８３ 交差辺
８４ 端部
８５ 折り込み形状部
９０ 注出口
９５ 注出流路
１００ 易開封性包装袋
１１０ 底部
１１１ 底シート部
１２０ シール部
１２５ 張出部
１３０ シール部
１４０ シール部
１５０ 内容物
１６０ 未シール部
１７０ シール部
１８０ 開封用切欠形状部
１９０ 本体
２００ 包装商品
２１０ ノズル部
３００ 容器
【図１】
2015117063.tif 000003
【図２】
2015117063.tif 000004
【図３】
2015117063.tif 000005
【図４】
2015117063.tif 000006
【図５】
2015117063.tif 000007
【図６】
2015117063.tif 000008
【図７】
2015117063.tif 000009
【図８】
2015117063.tif 000010
【図９】
2015117063.tif 000011